(57)【要約】  【課題】建物の完全な情報が無くても、できるだけ正確な建物の改修費用を見積もることができるようにする。  【解決手段】入力情報を受け付ける入力情報受付手段１１と、部位情報記憶手段１２と、第１パッケージ情報を入力情報の多寡によって複数のフォルダに分類して記憶する第１パッケージ情報記憶手段１３と、入力情報の多寡に応じてどのフォルダにアクセスするかを判断する判断手段１８と、規定データ記憶手段１９と、入力情報を満足する１種若しくは複数種の第１建物設計情報を作成する第１情報作成手段２０と、第１建物設計情報を出力する第１建物設計情報出力手段２１と、改修対象の部位の選択指示を受け付ける改修部位受付手段２２と、単価情報記憶手段２３と、改修対象の部位に相当するコストを選出する改修部位コスト選出手段２４と、改修対象の部位およびそのコストを出力する改修部位コスト出力手段２１とを備える建物改修情報提供装置１とする。【選択図】図１
2010097586.tif 000002
【特許請求の範囲】
【請求項１】
建物に関する入力情報を受け付ける入力情報受付手段と、
上記建物を建築するために項目分けされた部位、上記建物の構成材料および上記建物内の設備を少なくとも記憶する部位情報記憶手段と、
上記建物の仕様、上記部位の種類およびその数量、上記構成材料の種類およびその数量、ならびに上記設備の種類およびその数量を含む情報を少なくとも組み合わせた第１パッケージ情報を、上記入力情報の多寡によって複数のフォルダに分類して記憶する第１パッケージ情報記憶手段と、
上記入力情報の多寡に応じて、上記第１パッケージ情報記憶手段内のどのフォルダにアクセスするかを判断する判断手段と、
上記第１パッケージ情報記憶手段内の各情報を設計基準および/または統計にもとづき規定する規定データを記憶する規定データ記憶手段と、
上記判断手段による判断に基づいて、上記複数のフォルダ内の特定のフォルダにアクセスすると共に、上記部位情報記憶手段および上記規定データ記憶手段にアクセスし、上記入力情報を満足する１種若しくは複数種の第１建物設計情報を作成する第１情報作成手段と、
上記第１建物設計情報を出力する第１建物設計情報出力手段と、
上記第１建物設計情報の内の改修対象の部位の選択指示を受け付ける改修部位受付手段と、
上記部位情報記憶手段に格納される情報に加えて、上記構成材料のコストおよび上記設備のコストを少なくとも記憶する単価情報記憶手段と、
上記単価情報記憶手段にアクセスして、上記改修対象の部位に相当するコストを選出する改修部位コスト選出手段と、
上記改修対象の部位およびそのコストを出力する改修部位コスト出力手段と、
を備えることを特徴とする建物改修情報提供装置。
【請求項２】
前記改修対象の部位の情報に基づき、撤去および仮設に要するコストの情報を受け付ける撤去・仮設コスト受付手段と、
上記撤去に要するコストと、上記仮設に要するコストと、前記改修対象の部位に相当するコストとを合計し、改修総コストを算出する改修総コスト算出手段と、
を、さらに備える請求項１に記載の建物改修情報提供装置。
【請求項３】
前記単価情報記憶手段にアクセスし、前記第１建物設計情報内の前記構成材料および前記設備に関するそれぞれのコストを選出して、これらを前記第１建物設計情報に加え、新たに、改修対象の建物を新築した場合の第２建物設計情報を作成する第２情報作成手段と、
前記第２建物設計情報を出力する第２建物設計情報出力手段と、
をさらに備える請求項１または２に記載の建物改修情報提供装置。
【請求項４】
少なくとも前記建物の仕様、前記部位の種類およびその数量、前記構成材料の種類およびその数量、ならびに前記設備の種類およびその数量を含む情報を、前記建物の全体若しくは一部あるいは設備の改修の種類に対応して組み合わせた第２パッケージ情報を、前記改修の種類に対応するように複数のフォルダに分類して記憶する第２パッケージ情報記憶手段と、
少なくとも前記第１建物設計情報を含む現状の建物に関する情報を記憶しておく現状建物データ記憶手段と、
上記改修の種類を受け付ける改修種類受付手段と、
上記改修の種類を受け付けると、上記現状建物データ記憶手段にアクセスして、上記現状の建物に関する情報の許容範囲内にて、上記第２パッケージ情報記憶手段から、前記第１建物設計情報に基づいて１または複数の前記フォルダを選出するフォルダ選出手段と、
上記フォルダ選出手段により選出された改修後の情報を出力する改修後情報出力手段と、
を備えることを特徴とする請求項１から３のいずれか１項に記載の建物改修情報提供装置。
【請求項５】
前記フォルダ選出手段は、改修コストの許容範囲を考慮して、当該許容範囲内になるように前記１または複数の前記第２パッケージ情報を選出することを特徴とする請求項４に記載の建物改修情報提供装置。
【請求項６】
前記改修後の情報の内の一部の変更指示を受け付ける改修部位変更指示受付手段を備え、
その改修部位変更指示受付手段が前記改修後の情報の内の一部の変更指示を受け付けると、前記改修部位コスト選出手段は、前記単価情報記憶手段にアクセスして、上記変更指示に対応するコストを選出し、
前記改修部位コスト出力手段は、上記変更指示の後の改修情報およびその変更指示の後のコストを出力することを特徴とする請求項１から５のいずれか１項に記載の建物改修情報提供装置。
【請求項７】
前記改修部位コスト出力手段は、前記第１建物設計情報を、改修前の現状の建物の情報として、改修後の情報およびそのコストと比較できるように表示することを特徴とする請求項１から６のいずれか１項に記載の建物改修情報提供装置。
【請求項８】
建物に関する入力情報を受け付ける入力情報受付手段と、
上記建物を建築するために項目分けされた部位、上記建物の構成材料および上記建物内の設備を少なくとも記憶する部位情報記憶手段と、
上記建物の仕様、上記部位の種類およびその数量、上記構成材料の種類およびその数量、ならびに上記設備の種類およびその数量を含む情報を少なくとも組み合わせた第１パッケージ情報を、上記入力情報の多寡によって複数のフォルダに分類して記憶する第１パッケージ情報記憶手段と、
上記第１パッケージ情報記憶手段内の各情報を設計基準および/または統計にもとづき規定する規定データを記憶する規定データ記憶手段と、
上記第１建物設計情報の内の改修対象の部位の選択指示を受け付ける改修部位受付手段と、
上記部位情報記憶手段に格納される情報に加えて、上記構成材料のコストおよび上記設備のコストを少なくとも記憶する単価情報記憶手段と、
を備えるコンピュータがその外部から上記入力情報を受け付けることにより、所定の建物の改修情報を出力する建物改修情報提供方法であって、
上記建物に関する入力情報を受け付ける入力情報受付ステップと、
上記入力情報の多寡に応じて、上記第１パッケージ情報記憶手段内のどのフォルダにアクセスするかを判断する判断ステップと、
上記判断ステップに基づいて、上記複数のフォルダ内の特定のフォルダにアクセスすると共に、上記部位情報記憶手段および上記規定データ記憶手段にアクセスし、上記入力情報を満足する１種若しくは複数種の第１建物設計情報を作成する第１情報作成ステップと、
上記第１建物設計情報を出力する第１建物設計情報出力ステップと、
上記第１建物設計情報の内の改修対象の部位の選択指示を受け付ける改修部位受付ステップと、
上記単価情報記憶手段にアクセスして、上記改修対象の部位に相当するコストを選出する改修部位コスト選出ステップと、
上記改修対象の部位およびそのコストを出力する改修部位コスト出力ステップと、
を含むことを特徴とする建物改修情報提供方法。
【請求項９】
コンピュータにインストールされることによって、
コンピュータを、
建物に関する入力情報を受け付ける入力情報受付手段と、
上記建物を建築するために項目分けされた部位、上記建物の構成材料および上記建物内の設備を少なくとも記憶する部位情報記憶手段と、
上記建物の仕様、上記部位の種類およびその数量、上記構成材料の種類およびその数量、ならびに上記設備の種類およびその数量を含む情報を少なくとも組み合わせた第１パッケージ情報を、上記入力情報の多寡によって複数のフォルダに分類して記憶する第１パッケージ情報記憶手段と、
上記入力情報の多寡に応じて、上記第１パッケージ情報記憶手段内のどのフォルダにアクセスするかを判断する判断手段と、
上記第１パッケージ情報記憶手段内の各情報を設計基準および/または統計にもとづき規定する規定データを記憶する規定データ記憶手段と、
上記判断手段による判断に基づいて、上記複数のフォルダ内の特定のフォルダにアクセスすると共に、上記部位情報記憶手段および上記規定データ記憶手段にアクセスし、上記入力情報を満足する１種若しくは複数種の第１建物設計情報を作成する第１情報作成手段と、
上記第１建物設計情報を出力する第１建物設計情報出力手段と、
上記第１建物設計情報の内の改修対象の部位の選択指示を受け付ける改修部位受付手段と、
上記部位情報記憶手段に格納される情報に加えて、上記構成材料のコストおよび上記設備のコストを少なくとも記憶する単価情報記憶手段と、
上記単価情報記憶手段にアクセスして、上記改修対象の部位に相当するコストを選出する改修部位コスト選出手段と、
上記改修対象の部位およびそのコストを出力する改修部位コスト出力手段と、
を備える装置として機能させることを特徴とするコンピュータ・プログラム。
【請求項１０】
前記改修対象の部位の情報に基づき、撤去および仮設に要するコストの情報を受け付ける撤去・仮設コスト受付手段と、
上記撤去に要するコストと、上記仮設に要するコストと、前記改修対象の部位に相当するコストとを合計し、改修総コストを算出する改修総コスト算出手段と、
を、さらに備える装置として機能させることを特徴とする請求項９に記載のコンピュータ・プログラム。
【請求項１１】
前記単価情報記憶手段にアクセスし、前記第１建物設計情報内の前記構成材料および前記設備に関するそれぞれのコストを選出して、これらを前記第１建物設計情報に加え、新たに、改修対象の建物を新築した場合の第２建物設計情報を作成する第２情報作成手段と、
前記第２建物設計情報を出力する第２建物設計情報出力手段と、
をさらに備える装置として機能させることを特徴とする請求項９または１０に記載のコンピュータ・プログラム。
【請求項１２】
コンピュータにインストールされることによって、
コンピュータを、
少なくとも前記建物の仕様、前記部位の種類およびその数量、前記構成材料の種類およびその数量、ならびに前記設備の種類およびその数量を含む情報を、前記建物の全体若しくは一部あるいは設備の改修の種類に対応して組み合わせた第２パッケージ情報を、前記改修の種類に対応するように複数のフォルダに分類して記憶する第２パッケージ情報記憶手段と、
少なくとも前記第１建物設計情報を含む現状の建物に関する情報を記憶しておく現状建物データ記憶手段と、
上記改修の種類を受け付ける改修種類受付手段と、
上記改修の種類を受け付けると、上記現状建物データ記憶手段にアクセスして、上記現状の建物に関する情報の許容範囲内にて、上記第２パッケージ情報記憶手段から、前記第１建物設計情報に基づいて１または複数の前記第２パッケージ情報を選出するフォルダ選出手段と、
上記フォルダ選出手段により選出された改修後の情報を出力する改修後情報出力手段と、
を備える装置として機能させることを特徴とする請求項９から１１のいずれか１項に記載のコンピュータ・プログラム。
【請求項１３】
前記フォルダ選出手段は、改修コストの許容範囲を考慮して、当該許容範囲内になるように前記１または複数の前記フォルダを選出することを特徴とする請求項１２に記載のコンピュータ・プログラム。
【請求項１４】
前記コンピュータを、
前記改修後の情報の内の一部の変更指示を受け付ける改修部位変更指示受付手段を備え、
その改修部位変更指示受付手段が前記改修後の情報の内の一部の変更指示を受け付けると、前記改修部位コスト選出手段は、前記単価情報記憶手段にアクセスして、上記変更指示に対応するコストを選出し、
前記改修部位コスト出力手段は、上記変更指示の後の改修情報およびその変更指示の後のコストを出力する装置として機能させることを特徴とする請求項９から１３のいずれか１項に記載のコンピュータ・プログラム。
【請求項１５】
前記改修部位コスト出力手段は、前記第１建物設計情報を、改修前の現状の建物の情報として、改修後の情報およびそのコストと比較できるように表示することを特徴とする請求項９から１４のいずれか１項に記載のコンピュータ・プログラム。
【発明の詳細な説明】
【技術分野】
【０００１】
本発明は、建物改修情報提供装置、建物改修情報提供方法およびコンピュータ・プログラムに関する。
【背景技術】
【０００２】
従来において、建物の建築コストを算出する方法としては、まず、設計図書等の書面から、建物を構成する構成要素としての建築部材を拾い上げる、いわゆる「拾い上げ」を行って全ての建築部材をリストアップする。つぎに、リストアップされた建築部材の単価を全ての建築部材について積算するとともに、それぞれの建築作業毎に労務費および機械経費等を併せて積算することにより、建築コストを得る方法（積算方式）が一般的である。
【０００３】
また、このような従来の積算方式による建築コストの算出をネットワークに接続された積算受託者端末において一括して行い、得られた建築コストに関する情報を見積依頼者端末に送信する技術が特許文献１に開示されている。
【先行技術文献】
【特許文献】
【０００４】
【特許文献１】特開２００６−２０９４７７号公報（要約書、請求項等）
【発明の概要】
【発明が解決しようとする課題】
【０００５】
ところで、前述した積算方式は、新築の場合には採用できるかもしれないが、既存の建物の一部を改修する場合には採用困難である。建築した当初に用意した設計図書、写真等の資料の一部しか残っていないことが多いこと、あるいは途中で何度も小さな改修を行っている場合には、現状の建物を示す資料が特定できないことが多いからである。このため、改修に必要なコストを正確に算出することが極めて難しく、その結果、改修を請け負う業者は、現状の建物を実際に見て、改修内容を聞いた上で、過去の経験に基づき見積もりを行わざるをえないのが実状である。
【０００６】
そのような不正確な見積もりを行った場合、実際に改修に要した費用が見積額よりも低い場合には問題が生じにくいが、逆に改修に要した費用が見積額を上回った場合には、改修の発注者側と受注者側との間でトラブルが生じる可能性がある。また、そのようなトラブルを避けようとして、受注者側が大きな損失を負うリスクもある。
【０００７】
さらに、改修時にコストが変動することを前提に、受注者側が非常に大雑把な見積額を提示することもできるが、そのような見積もりでは、情報の透明性が低く、発注者側に不信感を抱かれる可能性がある。加えて、大きな改修工事の場合には、大雑把な見積額を提示されても、改修あるいは新築のいずれがコスト的に有利であるかを判断しにくいという問題も生じる。
【０００８】
本発明は、上記の問題を解決するため、建物の完全な情報が無くても、できるだけ正確な建物の改修費用を見積もることができるようにすることを目的とする。
【課題を解決するための手段】
【０００９】
上述の目的を達成するため、本発明は、建物に関する入力情報を受け付ける入力情報受付手段と、建物を建築するために項目分けされた部位、建物の構成材料および建物内の設備を少なくとも記憶する部位情報記憶手段と、建物の仕様、部位の種類およびその数量、構成材料の種類およびその数量、ならびに設備の種類およびその数量を含む情報を少なくとも組み合わせた第１パッケージ情報を、入力情報の多寡によって複数のフォルダに分類して記憶する第１パッケージ情報記憶手段と、入力情報の多寡に応じて、第１パッケージ情報記憶手段内のどのフォルダにアクセスするかを判断する判断手段と、第１パッケージ情報記憶手段内の各情報を設計基準および/または統計にもとづき規定する規定データを記憶する規定データ記憶手段と、判断手段による判断に基づいて、複数のフォルダ内の特定のフォルダにアクセスすると共に、部位情報記憶手段および規定データ記憶手段にアクセスし、入力情報を満足する１種若しくは複数種の第１建物設計情報を作成する第１情報作成手段と、第１建物設計情報を出力する第１建物設計情報出力手段と、第１建物設計情報の内の改修対象の部位の選択指示を受け付ける改修部位受付手段と、部位情報記憶手段に格納される情報に加えて、構成材料のコストおよび設備のコストを少なくとも記憶する単価情報記憶手段と、単価情報記憶手段にアクセスして、改修対象の部位に相当するコストを選出する改修部位コスト選出手段と、改修対象の部位およびそのコストを出力する改修部位コスト出力手段とを備える建物改修情報提供装置としている。
【００１０】
また、別の本発明は、さらに、改修対象の部位の情報に基づき、撤去および仮設に要するコストの情報を受け付ける撤去・仮設コスト受付手段と、撤去に要するコストと、仮設に要するコストと、改修対象の部位に相当するコストとを合計し、改修総コストを算出する改修総コスト算出手段とを、さらに備える建物改修情報提供装置としている。
【００１１】
また、別の本発明は、さらに、単価情報記憶手段にアクセスし、第１建物設計情報内の構成材料および設備に関するそれぞれのコストを選出して、これらを第１建物設計情報に加え、新たに、改修対象の建物を新築した場合の第２建物設計情報を作成する第２情報作成手段と、第２建物設計情報を出力する第２建物設計情報出力手段とを備える建物改修情報提供装置としている。
【００１２】
また、別の本発明は、さらに、少なくとも建物の仕様、部位の種類およびその数量、構成材料の種類およびその数量、ならびに設備の種類およびその数量を含む情報を、建物の全体若しくは一部あるいは設備の改修の種類に対応して組み合わせた第２パッケージ情報を、改修の種類に対応するように複数のフォルダに分類して記憶する第２パッケージ情報記憶手段と、少なくとも第１建物設計情報を含む現状の建物に関する情報を記憶しておく現状建物データ記憶手段と、改修の種類を受け付ける改修種類受付手段と、改修の種類を受け付けると、現状建物データ記憶手段にアクセスして、現状の建物に関する情報の許容範囲内にて、第２パッケージ情報記憶手段から、第１建物設計情報に基づいて１または複数の第２パッケージ情報を選出するフォルダ選出手段と、フォルダ選出手段により選出された改修後の情報を出力する改修後情報出力手段とを備える建物改修情報提供装置としている。
【００１３】
また、別の本発明は、さらに、フォルダ選出手段は、改修コストの許容範囲を考慮して、当該許容範囲内になるように１または複数のフォルダを選出する建物改修情報提供装置としている。
【００１４】
また、別の本発明は、さらに、改修後の情報の内の一部の変更指示を受け付ける改修部位変更指示受付手段を備え、その改修部位変更指示受付手段が改修後の情報の内の一部の変更指示を受け付けると、改修部位コスト選出手段は、単価情報記憶手段にアクセスして、変更指示に対応するコストを選出し、改修部位コスト出力手段は、変更指示の後の改修情報およびその変更指示の後のコストを出力する建物改修情報提供装置としている。
【００１５】
また、別の本発明は、さらに、改修部位コスト出力手段は、第１建物設計情報を、改修前の現状の建物の情報として、改修後の情報およびそのコストと比較できるように表示する建物改修情報提供装置としている。
【００１６】
また、本発明は、建物に関する入力情報を受け付ける入力情報受付手段と、建物を建築するために項目分けされた部位、建物の構成材料および建物内の設備を少なくとも記憶する部位情報記憶手段と、建物の仕様、部位の種類およびその数量、構成材料の種類およびその数量、ならびに設備の種類およびその数量を含む情報を少なくとも組み合わせた第１パッケージ情報を、入力情報の多寡によって複数のフォルダに分類して記憶する第１パッケージ情報記憶手段と、第１パッケージ情報記憶手段内の各情報を設計基準および/または統計にもとづき規定する規定データを記憶する規定データ記憶手段と、第１建物設計情報の内の改修対象の部位の選択指示を受け付ける改修部位受付手段と、部位情報記憶手段に格納される情報に加えて、構成材料のコストおよび設備のコストを少なくとも記憶する単価情報記憶手段とを備えるコンピュータがその外部から上記入力情報を受け付けることにより、所定の建物の改修情報を出力する建物改修情報提供方法であって、建物に関する入力情報を受け付ける入力情報受付ステップと、入力情報の多寡に応じて、第１パッケージ情報記憶手段内のどのフォルダにアクセスするかを判断する判断ステップと、判断ステップに基づいて、複数のフォルダ内の特定のフォルダにアクセスすると共に、部位情報記憶手段および規定データ記憶手段にアクセスし、入力情報を満足する１種若しくは複数種の第１建物設計情報を作成する第１情報作成ステップと、第１建物設計情報を出力する第１建物設計情報出力ステップと、第１建物設計情報の内の改修対象の部位の選択指示を受け付ける改修部位受付ステップと、単価情報記憶手段にアクセスして、改修対象の部位に相当するコストを選出する改修部位コスト選出ステップと、改修対象の部位およびそのコストを出力する改修部位コスト出力ステップとを含む建物改修情報提供方法としている。
【００１７】
また、本発明は、コンピュータにインストールされることによって、コンピュータを、建物に関する入力情報を受け付ける入力情報受付手段と、建物を建築するために項目分けされた部位、建物の構成材料および建物内の設備を少なくとも記憶する部位情報記憶手段と、建物の仕様、部位の種類およびその数量、構成材料の種類およびその数量、ならびに設備の種類およびその数量を含む情報を少なくとも組み合わせた第１パッケージ情報を、入力情報の多寡によって複数のフォルダに分類して記憶する第１パッケージ情報記憶手段と、入力情報の多寡に応じて、第１パッケージ情報記憶手段内のどのフォルダにアクセスするかを判断する判断手段と、第１パッケージ情報記憶手段内の各情報を設計基準および/または統計にもとづき規定する規定データを記憶する規定データ記憶手段と、判断手段による判断に基づいて、複数のフォルダ内の特定のフォルダにアクセスすると共に、部位情報記憶手段および規定データ記憶手段にアクセスし、入力情報を満足する１種若しくは複数種の第１建物設計情報を作成する第１情報作成手段と、第１建物設計情報を出力する第１建物設計情報出力手段と、第１建物設計情報の内の改修対象の部位の選択指示を受け付ける改修部位受付手段と、部位情報記憶手段に格納される情報に加えて、構成材料のコストおよび設備のコストを少なくとも記憶する単価情報記憶手段と、単価情報記憶手段にアクセスして、改修対象の部位に相当するコストを選出する改修部位コスト選出手段と、改修対象の部位およびそのコストを出力する改修部位コスト出力手段とを備える装置として機能させるコンピュータ・プログラムとしている。
【００１８】
また、別の本発明は、さらに、改修対象の部位の情報に基づき、撤去および仮設に要するコストの情報を受け付ける撤去・仮設コスト受付手段と、撤去に要するコストと、仮設に要するコストと、改修対象の部位に相当するコストとを合計し、改修総コストを算出する改修総コスト算出手段とを、さらに備える装置として機能させるコンピュータ・プログラムとしている。
【００１９】
また、別の本発明は、さらに、単価情報記憶手段にアクセスし、第１建物設計情報内の構成材料および設備に関するそれぞれのコストを選出して、これらを第１建物設計情報に加え、新たに、改修対象の建物を新築した場合の第２建物設計情報を作成する第２情報作成手段と、第２建物設計情報を出力する第２建物設計情報出力手段とをさらに備える装置として機能させるコンピュータ・プログラムとしている。
【００２０】
また、別の本発明は、コンピュータにインストールされることによって、コンピュータを、少なくとも建物の仕様、部位の種類およびその数量、構成材料の種類およびその数量、ならびに設備の種類およびその数量を含む情報を、建物の全体若しくは一部あるいは設備の改修の種類に対応して組み合わせた第２パッケージ情報を、改修の種類に対応するように複数のフォルダに分類して記憶する第２パッケージ情報記憶手段と、少なくとも第１建物設計情報を含む現状の建物に関する情報を記憶しておく現状建物データ記憶手段と、改修の種類を受け付ける改修種類受付手段と、改修の種類を受け付けると、現状建物データ記憶手段にアクセスして、現状の建物に関する情報の許容範囲内にて、第２パッケージ情報記憶手段から、第１建物設計情報に基づいて１または複数の前記第２パッケージ情報を選出するフォルダ選出手段と、フォルダ選出手段により選出された改修後の情報を出力する改修後情報出力手段とを、さらに備える装置として機能させるコンピュータ・プログラムとしている。
【００２１】
また、別の本発明は、さらに、フォルダ選出手段は、改修コストの許容範囲を考慮して、当該許容範囲内になるように前記１または複数の前記フォルダを選出するコンピュータ・プログラムとしている。
【００２２】
また、別の本発明は、さらに、コンピュータを、改修後の情報の内の一部の変更指示を受け付ける改修部位変更指示受付手段を備え、その改修部位変更指示受付手段が改修後の情報の内の一部の変更指示を受け付けると、改修部位コスト選出手段は、単価情報記憶手段にアクセスして、変更指示に対応するコストを選出し、改修部位コスト出力手段は、変更指示の後の改修情報およびその変更指示の後のコストを出力する装置として機能させるコンピュータ・プログラムとしている。
【００２３】
また、別の本発明は、さらに、改修部位コスト出力手段は、第１建物設計情報を、改修前の現状の建物の情報として、改修後の情報およびそのコストと比較できるように表示するコンピュータ・プログラムとしている。
【発明の効果】
【００２４】
本発明によれば、建物の完全な情報が無くても、できるだけ正確な建物の改修費用を見積もることができる。
【図面の簡単な説明】
【００２５】
【図１】図１は、本発明の第１の実施の形態に係る建物改修情報提供装置においてプログラムが実行される場合に実現される機能ブロックを示す図である。
【図２】図２は、図１に示す建物改修情報提供装置のハード構成を示す概略図である。
【図３】図３は、図１に示す第１パッケージ情報記憶部内の４種類のフォルダに格納されるデータを説明するための模式図である。
【図４】図４は、建物の改修情報および新築情報の出力処理動作の主な流れを示すフローチャートの一例である。
【図５】図５は、ステップＳ１０５によりクライアント端末側に表示される画面の一例である。
【図６】図６は、ステップＳ１０６によりクライアント端末側に表示される画面の一例である。
【図７】図７は、ステップＳ１０７の処理の直前に、図５に示す画面においてユーザが改修すべき部位を選択指示した状態を示す表示画面の一例である。
【図８】図８は、ステップＳ１０９の処理によって、図７に示す部位の改修に要するコストを表示した画面の一例である。
【図９】図９は、ステップＳ１１１の処理後に、新築コストと改修総コストとを比較して表示した画面の一例である。
【図１０】図１０は、本発明の第２の実施の形態に係る建物改修情報提供装置においてプログラムが実行される場合に実現される機能ブロックを示す図である。
【図１１】図１１は、現状物件仕様内訳書の一部の例示であって、「外部仕上げ」の表示例である。
【図１２】図１２は、現状物件仕様内訳書の一部の例示であって、「各階別」の表示例である。
【図１３】図１３は、現状建物データ記憶部内のファイルの一例を示す図である。
【図１４】図１４は、建築上の主たる改修内容の選択入力画面の一例である。
【図１５】図１５は、設備上の主たる改修内容の選択入力画面の一例である。
【図１６】図１６は、建築上の改修対象の選択入力画面である。
【図１７】図１７は、設備上の改修対象の選択入力画面である。
【図１８】図１８は、ユーザが、建築上の改修として、ＯＡ化を推進する仕様への改修を選択し、選択入力画面にあるいずれのチェック欄をも選択せず、選択入力画面の専有部のチェック欄の２階にのみを選択し、チェック欄の検査室、応接室および分析室を選択したときの改修後の仕様内訳書の一例を示す図である。
【図１９】図１９は、図１８の表において、分析室を無くして、１つの検査室を２つの事務室に変更し、各部屋の広さも変更したときの仕様内訳書の一例を示す図である。
【発明を実施するための形態】
【００２６】
以下、本発明の好適な各実施の形態について、図面を参照して説明する。
【００２７】
＜第一の実施の形態＞
１．建物改修情報提供装置の全体構成
図１は、本発明の実施の形態に係る建物改修情報提供装置１においてプログラムが実行される場合に実現される機能ブロックを示す図である。図１を参照して、建物改修情報提供装置１において、ソフトウェアとしてのコンピュータ・プログラムが実行された場合に、当該コンピュータ・プログラムと、ハードウェアとしてのＣＰＵその他が協働することにより実現される機能の一例について説明する。
【００２８】
この実施の形態において、建物改修情報提供装置１は、通信回線網を介して外部のコンピュータと通信可能なコンピュータである。ただし、建物改修情報提供装置１を、スタンド・アローン型のコンピュータとしても良い。
【００２９】
建物改修情報提供装置１は、通信モジュール１０と、入力情報受付部１１と、部位情報記憶部１２と、第１パッケージ情報記憶部１３と、判断部１８と、規定データ記憶部１９と、第１情報作成部２０と、出力部２１と、撤去部位受付部２２と、単価情報記憶部２３と、改修部位コスト選出部２４と、撤去・仮設コスト受付部２５と、改修総コスト算出部２６と、第２情報作成部２７と、入力画面データ記憶部２８とを備える。
【００３０】
通信モジュール１０は、外部の通信可能なコンピュータ（例えば、インターネットを介して通信可能なクライアント端末）と通信するための構成部分である。
【００３１】
入力情報受付部１１は、当該クライアント端末から、建物に関する入力情報を受け付ける入力情報受付手段として機能する。
【００３２】
部位情報記憶部１２は、建物を建築するために項目分けされた部位、建物の構成材料および建物内の設備を少なくとも記憶する部位情報記憶手段である。ここで、「部位」とは、建物の所定の箇所の意味ではなく、建物の構造上のユニットを建築作業の観点からまとめた単位を意味する。「部位」は、大分類、中分類のように階層をもってまとめられている。具体的には、例えば、大分類としては、「共通仮設」、「直接仮設」、「土木・地業」、「地下躯体」、「地上躯体」、「外部仕上げ」、「内部仕上げ」、「設備」などのような部位がある。「共通仮設」には、「共通仮設」と「特殊仮設」などのような中分類がある。「土木・地業」には、「土木」と「山留・桟橋」などのような中分類がある。「地下躯体」には、「杭・地業」、「基礎」、「地中梁」、「耐圧版」、「地下階柱」、「地下階大梁」、「地下階小梁」、「地下階床」、「地下階壁」および「地下階雑」などのような中分類がある。「地上躯体」には、「柱」、「大梁」、「小梁」、「床」、「壁」および「雑」などのような中分類がある。
【００３３】
「外部仕上げ」には、「屋根・屋上」、「外壁」、「外部開口部」、「外部天井」、「バルコニー」、「外部床」および「外部雑」などのような中分類がある。「内部仕上げ」には、「内部床」、「内部壁」、「内部天井」、「内部開口部」、「中間材」および「内部雑」などのような中分類がある。「設備」には、「機械設備」、「電気設備」、「空調換気排煙設備」、「給排水衛生設備」などのような中分類がある。その他、各中分類には、より詳細な小分類がある。なお、上記大分類、中分類は、一例に過ぎず、部位を、どのような大分類や中分類に分けても良い。
【００３４】
第１パッケージ情報記憶部１３は、建物の仕様、部位の種類およびその数量、構成材料の種類およびその数量、ならびに設備の種類およびその数量を含む情報を少なくとも組み合わせた第１パッケージ情報を、入力情報の多寡によって複数のフォルダに分類して記憶する第１パッケージ情報記憶手段である。例えば、第１パッケージ情報記憶部１３は、入力される情報が最も少ないときにアクセスするファイルとしてレベル１フォルダ１４を有し、その次に当該情報が少ないときにアクセスするファイルとしてレベル２フォルダ１５を有し、その次に当該情報が少ないときにアクセスするファイルとしてレベル３フォルダ１６を有し、最も当該情報が多いときにアクセスするファイルとしてレベル４フォルダ１７を有する。これら４種のフォルダ１４，１５，１６，１７中の各情報については、図３を参照しながら後述する。
【００３５】
判断部１８は、入力情報の多寡に応じて、第１パッケージ情報記憶部１３内のどのフォルダにアクセスするかを判断する判断手段として機能する。判断部１８は、情報量の閾値を複数段階有しており、外部からの入力情報がどの閾値の間、あるいはどの閾値以下若しくは以上であるかを判断した上で、第１パッケージ情報記憶部１３内のフォルダ１４，１５，１６，１７を選択し、特定のフォルダからデータを読み出すことを可能にする。
【００３６】
規定データ記憶部１９は、第１パッケージ情報記憶部１３内の各情報を設計基準および/または統計にもとづき規定する規定データを記憶する規定データ記憶手段である。規定データ記憶部１９には、オフィス、学校、病院等のような建物の種類（モデル）毎に、統計値および係数が記憶されている。ここで、統計値とは、各モデルを構成する部位毎の単価の分布状況を示す情報である。例えば、オフィスを例にとると、統計値は、オフィスを構成する躯体、外壁、各部屋の壁・床の部材、およびそれらが複数の構成部材から成る場合には各構成部材の単価が個々のオフィスによってバラツキがある場合、そのバラツキを統計処理したときの値を意味する。また、係数とは、単価から建築コストを算出する際に参照される、モデル毎の調整用の数値である。規定データ記憶部１９は、上記統計値、係数の他に、構成材料あるいは設備の数または形態を計算する上で必要な設計上の計算式、そのような計算式を定める上で必要な法規上の条件式も記憶している。例えば、特定の耐震性を具備する建物を建てる場合には、構成材料の一例である鉄筋の数、その鉄筋の太さがどの程度必要かを計算するための計算式が規定データ記憶部１９に記憶されている。
【００３７】
第１情報作成部２０は、判断部１８による判断に基づいて、複数のフォルダ内の特定のフォルダにアクセスすると共に、部位情報記憶部１２および規定データ記憶部１９にアクセスし、入力情報を満足する１種若しくは複数種の第１建物設計情報を作成する第１情報作成手段として機能する。第１情報作成部２０は、各部位別の仕様を特定し、その仕様を考慮して建物の構成部材や設備の数量等を計算することができる。
【００３８】
出力部２１は、第１建物設計情報を出力する第１建物設計情報出力手段と、後述するように改修部位およびそのコストを出力する改修部位コスト出力手段と、後述するように第２建物設計情報を出力する第２建物設計情報出力手段としての各機能を実行する。出力部２１は、入力画面データ記憶部２８内の各種画面データの中から適切な画面データを読み出し、通信モジュール１０を経由して、これをクライアント端末に送信する。出力部２１は、例えば、入力情報が少ないレベル１の場合には、レベル１用の入力画面を、入力情報がレベル１の次に多い場合には、レベル２用の入力画面を、入力情報がレベル２の次に多い場合には、レベル３用の入力画面を、入力情報がレベル３の次に多い場合には、レベル４用の入力画面を、それぞれ送信する。
【００３９】
撤去部位受付部２２は、クライアント端末から、第１建物設計情報の内の撤去対象の部位の選択指示を受け付ける撤去部位受付手段として機能する。「撤去」は、「改修」の下位概念である。撤去部位受付手段である撤去部位受付部２２は、改修対象の部位の選択指示を受け付ける改修部位受付手段の一例に過ぎない。このため、撤去部位受付部２２に代えて、撤去ではなく、洗浄、塗装、部品交換等も含む広義の改修対象の部位の選択指示を受け付ける改修部位受付部を備えることもできる。
【００４０】
単価情報記憶部２３は、部位情報記憶部１２に格納される情報に加えて、構成材料のコストおよび設備のコストなどの各部位別のコスト情報を少なくとも記憶する単価情報記憶手段である。
【００４１】
改修部位コスト選出部２４は、単価情報記憶部２３にアクセスして、撤去部位に相当する改修部位のコスト情報を選出する改修部位コスト選出手段として機能する。改修部位コスト選出部２４は、単位情報記憶部２３にアクセスして、改修対象の部位に相当するコストを選出する構成部とすることもできる。
【００４２】
撤去・仮設コスト受付部２５は、撤去対象の撤去部位の情報に基づき、撤去およびそのための仮設に要するコスト情報を受け付ける撤去・仮設コスト受付手段として機能する。当該コスト情報は、外部のクライアント端末の他、１または複数の工事請負業者側の端末から送信された情報をも含み得る。撤去・仮設コスト受付部２５を、撤去対象の撤去部位の情報に限らず、改修対象の部位の情報に基づき、撤去および仮設に要するコストの情報を受け付ける構成部とすることもできる。
【００４３】
改修総コスト算出部２６は、撤去に要するコストと、仮設に要するコストと、改修部位コストとを合計し、改修総コストを算出する改修総コスト算出手段として機能する。改修総コスト算出部２６は、改修部位コストと撤去に要するコスト、改修部位コストと仮設に要するコストを合計する等、改修部位コストとそれ以外の様々なコストを合計する機能を持つ構成部であっても良い。
【００４４】
第２情報作成部２７は、単価情報記憶部２３にアクセスし、第１建物設計情報内の構成材料および設備に関するそれぞれのコストを選出して、これらを第１建物設計情報に加え、新たに、改修対象の建物を新築した場合の第２建物設計情報を作成する第２情報作成手段として機能する。
【００４５】
入力画面データ記憶部２８は、外部のクライアント端末に対して、各種画面のデータを記憶している構成部分である。入力画面データ記憶部２８は、さらに、クライアント端末からの要求に応じて表示可能な１または複数種の出力画面データも記憶している。
【００４６】
図２は、建物改修情報提供装置１のハード構成を示す概略図である。
【００４７】
建物改修情報提供装置１は、ＣＰＵ（Central Processing Unit）３０、ＲＯＭ（Read Only Memory）３１、ＲＡＭ（Random Access Memory）３２、ＨＤＤ（Hard Disk Drive）３３、Ｉ／Ｆ（Interface）３４およびバス３５を主に備える。ＣＰＵ３０は、ＨＤＤ３３に格納されているＯＳ（Operating System）３３ａおよびコンピュータ・プログラム（以後、単に、プログラムという）３３ｂに基づいて建物改修情報提供装置１の各部を制御するとともに、各種演算処理を実行する。
【００４８】
ＲＯＭ３１は、ＣＰＵ３０が実行する基本的な制御プログラムを格納している半導体メモリである。ＲＡＭ３２は、ＣＰＵ３０が実行する各種プログラムおよびデータを一時的に格納する半導体メモリである。
【００４９】
ＨＤＤ３３は、磁気記憶媒体としてのハードディスクに情報を磁気的に記録する装置である。ＨＤＤ３３は、ＯＳ３３ａおよびプログラム３３ｂを格納している。ＯＳ３３ａは、複数のアプリケーションプログラムから共通して利用される基本的な機能を提供し、コンピュータシステム全体を管理するソフトウェアである。プログラム３３ｂは、建物改修情報提供装置１として建物情報を提供する機能を実現するためのものである。すなわち、ソフトウェアとしてのプログラム３３ｂと、ハードウェアとしてのＣＰＵ３０その他の構成が協働することにより、図１に示す各構成部の機能その他が実現される。
【００５０】
Ｉ／Ｆ３４は、ＣＰＵ３０がネットワーク４０を介して情報を送受信する際に、プロトコルの変換処理等を実行する。バス３５は、ＣＰＵ３０、ＲＯＭ３１、ＲＡＭ３２、ＨＤＤ３３、およびＩ／Ｆ３４を相互に接続し、これらの間で情報の授受を可能とするための信号線群である。
【００５１】
先に説明した通信モジュール１０の機能は、主にＩ／Ｆ３４とプログラム３３ｂによって実現される。入力情報受付部１１、判断部１８、第１情報作成部２０、出力部２１、撤去部位受付部２２、改修部位コスト選出部２４、撤去・仮設コスト受付部２５、改修総コスト算出部２６および第２情報作成部２７の各機能は、主にプログラム３３ｂとＣＰＵ３０によって実現される。部位情報記憶部１２、第１パッケージ情報記憶部１３、規定データ記憶部１９、単価情報記憶部２３および入力画面データ記憶部２８は、主にプログラム３３ｂ、プログラム３３ｂ格納領域以外のＨＤＤ３３の記憶領域、ＲＡＭ３２によって実現される。
【００５２】
２．主なフォルダ・ファイルの構成
図３は、第１パッケージ情報記憶部１３内の４種類のフォルダ（レベル１フォルダ１４、レベル２フォルダ１５、レベル３フォルダ１６およびレベル４フォルダ１７）に格納されるデータを説明するための模式図である。
【００５３】
「レベル１」は、建物に関する入力情報が最も少ないレベルを意味する。「レベル２」は、レベル１の次に、建物に関する入力情報が多いレベルを意味する。「レベル３」は、レベル２の次に、建物に関する入力情報が多いレベルを意味する。「レベル４」は、レベル３の次に、建物に関する入力情報が多いレベルを意味する。
【００５４】
したがって、レベル４フォルダ１７、レベル３フォルダ１６、レベル２フォルダ１５、レベル１フォルダ１４となるほど、デフォルトで用意しておく情報量を徐々に多くなっている。すなわち、レベル４フォルダ１７、レベル３フォルダ１６、レベル２フォルダ１５、レベル１フォルダ１４の順に、構成材料、設備、それらの数量などをパッケージ化したデフォルトの情報（Ｄ）の割合を高くしている。逆に、入力情報（Ｉ）で埋める部分は、レベル４フォルダ１７、レベル３フォルダ１６、レベル２フォルダ１５、レベル１フォルダ１４の順に、少なくなる。一例を挙げると、レベル４フォルダ１７は、１０％のデフォルトの情報（Ｄ）と９０％の入力情報（Ｉ）で埋める部分（空欄）から成る。レベル３フォルダ１６は、４０％のデフォルトの情報（Ｄ）と６０％の入力情報（Ｉ）で埋める部分（空欄）から成る。レベル２フォルダ１５は、７５％のデフォルトの情報（Ｄ）と２５％の入力情報（Ｉ）で埋める部分（空欄）から成る。レベル１フォルダ１４は、９５％のデフォルトの情報（Ｄ）と５％の入力情報（Ｉ）で埋める部分（空欄）から成る。
【００５５】
３．建物改修情報等の出力処理
【００５６】
図４は、建物の改修情報および新築情報の出力処理動作の主な流れを示すフローチャートの一例である。
【００５７】
ユーザがクライアント端末から既存の建物に関する情報を入力すると、建物改修情報提供装置１の入力情報受付部１１は、通信モジュール１０を介して、当該情報を受け付ける（ステップＳ１０１：入力情報受付ステップ）。建物改修情報提供装置１の判断部１８は、入力情報の多寡に応じて、第１パッケージ情報記憶部１３内のどのフォルダにアクセスするかを判断する（ステップＳ１０２：判断ステップ）。次に、建物改修情報提供装置１の第１情報作成部２０は、上記判断ステップに基づいて、複数のフォルダ１４，１５，１６，１７内の特定のフォルダにアクセスすると共に、部位情報記憶部１２および規定データ記憶部１９にアクセスし、入力情報を満足する１種若しくは複数種の第１建物設計情報を作成する（ステップＳ１０３：第１情報作成ステップ）。これに続いて、建物改修情報提供装置１の第２情報作成部２７は、単価情報記憶部２３にアクセスし、第１建物設計情報内の構成材料および設備に関するそれぞれのコストを選出して、これらを第１建物設計情報に加え、新たに、改修対象の建物を新築した場合の第２建物設計情報を作成する（ステップＳ１０４：第２建物設計情報出力ステップ）。次に、建物改修情報提供装置１の出力部２１は、第１建物設計情報および第２建物設計情報を出力する（ステップＳ１０５：第１建物設計情報出力ステップ、ステップＳ１０６：第２建物設計情報出力ステップ）。
【００５８】
次に、ユーザがクライアント端末から、既存の建物における第１建物設計情報の内の撤去対象の部位を入力すると、建物改修情報提供装置１の撤去部位受付部２２は、通信モジュール１０を介して、当該撤去対象の部位の選択指示を受け付ける（ステップＳ１０７：撤去部位受付ステップ）。次に、建物改修情報提供装置１の改修部位コスト選出部２４は、単価情報記憶部２３にアクセスして、撤去部位に相当する改修部位のコストを選出する（ステップＳ１０８：改修部位コスト選出ステップ）。次に、建物改修情報提供装置１の出力部２１は、改修部位およびそのコストを出力する（ステップＳ１０９：改修部位コスト出力ステップ）。次に、ユーザがクライアント端末から、あるいは他の業者が端末から撤去および／または仮設コストを入力すると、建物改修情報提供装置１の撤去・仮設コスト受付部２５は、当該入力情報を受け付ける（ステップＳ１１０：撤去・仮設コスト受付ステップ）。続いて、建物改修情報提供装置１の改修総コスト算出部２６は、ステップＳ１１０で受け付けた情報中のコスト（撤去および／または仮設コスト）とステップＳ１０９において出力された改修部位のコスト（撤去部位を新しくするための部位コスト）とを合計し、改修の総コストを算出する（ステップＳ１１１：改修総コスト算出ステップ）。
【００５９】
これによって、第２建物設計情報により得られる新築した場合のコストと、改修総コストの算出の結果得られた一部改修のコストとを比較検討することができる。
【００６０】
なお、上記各ステップの内、ステップＳ１０４はステップＳ１０５あるいはステップＳ１０６の後でも良い。ステップＳ１１０は、インターネットを通じて、入れ札等により決定されたコストを受け付けるステップでも良い。ステップＳ１０１〜ステップＳ１０６までの処理を行うフローと、ステップＳ１０７〜ステップＳ１１１までの処理をステップＳ１０６の次にユーザが情報を入力したことをトリガとして開始する一連のフローとに分けることができる。ステップＳ１０７は、ステップＳ１０５の次に処理するようにしても良い。
【００６１】
４．画面の推移
【００６２】
図５〜図９は、ユーザの使用するクライアント端末に出力表示される画面の一例を示す図である。
【００６３】
上述のステップＳ１０５によりクライアント端末側に表示される画面は、例えば、図５に示す画面５０である。画面５０には、建物概要５１として、「用途」欄５２、「構造」欄５３、「階数」欄５４、「建築面積」欄５５および「延床面積」欄５６が表示されている。また、画面５０には、「部位」欄６０、各部位の仕様を表示する「仕様」欄６１、各部位の数量の情報を表示する「数量」欄６２が表示されている。「部位」欄６０には、「地下躯体」欄７０、「地上躯体」欄８０、「外部仕上げ」欄９０、「内部仕上げ」欄１００、「電気設備」欄１１０、「給排水衛生設備」欄１２０、「空調換気排煙設備」欄１３０、「その他設備」欄１４０および「外溝」欄１５０が表示されている。なお、これらの欄の表示は、一例に過ぎず、建物の構造等によって変わる。
【００６４】
「地下躯体」欄７０には、その下位の欄として、「杭・地業」欄７１、「基礎」欄７２、「地中梁」欄７３等が表示されている。「地上躯体」欄８０には、その下位の欄として、「柱」欄８１、「大梁」欄８２、「床」欄８３等が表示されている。「外部仕上げ」欄９０には、その下位の欄として、「屋根・屋上」欄９１、「外壁」欄９２等が表示されている。「内部仕上げ」欄１００には、その下位の欄として、「内部床」欄１０１、「内部壁」欄１０２等が表示されている。「電気設備」欄１１０には、その下位の欄として、「受変電設備」欄１１１、「幹線設備」欄１１２等が表示されている。「給排水衛生設備」欄１２０には、その下位の欄として、「給水設備」欄１２１、「給湯設備」欄１２２等が表示されている。「空調換気排煙設備」欄１３０には、その下位の欄として、「熱源設備」欄１３１、「空調機器設備」欄１３２等が表示されている。「その他設備」欄１４０には、その下位の欄として、「昇降機設備」欄１４１、「エスカレータ」欄１４２等が表示されている。「外溝」欄１５０には、その下位の欄として、「雨水排水」欄１５１等が表示されている。図５において、各欄７１〜７３、８１〜８３、９１、９２、１０１、１０２、１１１、１１２、１２１、１２２、１３１、１３２、１４１、１４２および１５１の右に隣接する「仕様」欄６１および「数量」欄６２には、それぞれ、「○○○」および「△△△」と表示されているが、実際には、各部位の仕様および数量が表示される。
【００６５】
建物概要５１中の情報、各部位、その仕様、各部位の数量の内の一部は、ユーザが入力した情報である。その情報源は、既存の建物の設計図、仕様書等から集めたものである。入力情報が極めて多ければ、レベル４のフォルダ内のパッケージ情報を利用して、図５に例示される第１建物設計情報が作成され、表示される。逆に、入力情報が極めて少なければ、レベル１のフォルダ内のパッケージ情報を利用して、第１建物設計情報が作成される。このように、既存の建物の情報が少なくても、ある程度正確な部位の予測を行い、建物設計情報を提示することができる。
【００６６】
上述のステップＳ１０６によりクライアント端末側に表示される画面は、例えば、図６に示す画面２００である。画面２００には、建物概要２０１として、「用途」欄２０２、「構造」欄２０３、「階数」欄２０４、「建築面積」欄２０５および「延床面積」欄２０６が表示されている。また、画面２００には、「部位」欄２１０、各部位の仕様を表示する「仕様」欄２１１、各部位の数量の情報を表示する「数量」欄２１２、各部位毎のコストを表示する「コスト」欄２１３が表示されている。「部位」欄６０には、「共通仮設」欄２２１、「直接仮設」欄２２２、「土木」欄２２３、「山留・桟橋」欄２２４といった画面５０には存在しなかった表示欄に加え、画面５０にも表示されていたと同様の表示欄として、「地下躯体」欄２３０、「地上躯体」欄２４０、「外部仕上げ」欄２５０、「内部仕上げ」欄２６０、「電気設備」欄２７０、「給排水衛生設備」欄２８０、「空調換気排煙設備」欄２９０、「その他設備」欄３００および「外溝」欄３１０が表示されている。また、画面２００には、各部位の「コスト」欄２１３に表示されるコストを合計した額（合計Ａとする）を表示する「合計」欄３２０も表示される。なお、上記の各表示欄は、一例に過ぎず、建物の構造等によって変わる。
【００６７】
「地下躯体」欄２３０には、その下位の欄として、「杭・地業」欄２３１、「基礎」欄２３２、「地中梁」欄２３３等が表示されている。「地上躯体」欄２４０には、その下位の欄として、「柱」欄２４１、「大梁」欄２４２、「床」欄２４３等が表示されている。「外部仕上げ」欄２５０には、その下位の欄として、「屋根・屋上」欄２５１、「外壁」欄２５２等が表示されている。「内部仕上げ」欄２６０には、その下位の欄として、「内部床」欄２６１、「内部壁」欄２６２等が表示されている。「電気設備」欄２７０には、その下位の欄として、「受変電設備」欄２７１、「幹線設備」欄２７２等が表示されている。「給排水衛生設備」欄２８０には、その下位の欄として、「給水設備」欄２８１、「給湯設備」欄２８２等が表示されている。「空調換気排煙設備」欄２９０には、その下位の欄として、「熱源設備」欄２９１、「空調機器設備」欄２９２等が表示されている。「その他設備」欄３００には、その下位の欄として、「昇降機設備」欄３０１、「エスカレータ」欄３０２等が表示されている。「外溝」欄３１０には、その下位の欄として、「雨水排水」欄３１１等が表示されている。図６においても、図５と同様、各下位の欄に隣接する「仕様」欄２１１および「数量」欄２１２には、それぞれ、「○○○」および「△△△」と表示されているが、実際には、各部位の仕様および数量が表示される。
【００６８】
画面２００は、画面５０に表示される各部位の情報に基づき作成されたものであり、同じ建物を新築した場合のコスト情報を含んでいる。当該コスト情報には、新築に要する仮設、土木に必要なコストも含まれる。
【００６９】
図７は、図４におけるステップＳ１０７の処理の直前に、図５に示す画面５０においてユーザが改修すべき部位を選択指示した状態を示す表示画面の一例である。
【００７０】
選択指示された部分は、図７において太枠で囲まれた部位３３０、すなわち、「外部仕上げ」に属する「外壁」、「内部仕上げ」に属する全部位、「電気設備」に属する全部位、「給排水衛生設備」に属する全部位、「空調換気排煙設備」に属する全部位、「その他設備」に属する「エスカレータ」および「外溝」に属する「雨水排水」である。
【００７１】
図８は、図４におけるステップＳ１０９の処理によって、図７に示す部位３３０の改修に要するコストを表示した画面３５０を示す一例である。
【００７２】
画面３５０において、図７に示す画面５０と共通する欄には、同じ符号を付している。画面３５０には、画面５０に、「コスト」欄６３および「合計」欄３６０を加えた形態を有している。画面３５０には、ユーザが改修対象として選択指示した各部位のコストおよびそれらコストの合計（合計Ｂ１とする）が表示されている。
【００７３】
図９は、図４におけるステップＳ１１１の処理後に、新築コストと改修総コストとを比較して表示した画面４００を示す一例である。
【００７４】
画面４００において、図６に示す画面２００と共通する欄には、同じ符号を付している。画面４００には、画面２００に、「改修コスト」欄２１４および「撤去費用」欄４１０を加えた形態を有している。「新築コスト」欄２１３には、画面２００中の「コスト」欄２１３と同じコストが表示されている。改修総コスト（合計Ｂ）は、合計Ｂ１、仮設に要するコスト（合計Ｂ２）および撤去に要するコスト（合計Ｂ３）の総額である。一方、「合計」欄３２０に表示される合計Ａは、新築した場合の総コストである。このため、合計Ａと合計Ｂとを比較することにより、改修した場合と改修した場合とでどのくらいのコスト差が生じるかについて把握することができる。
【００７５】
５．実施の形態の作用
本実施の形態は、入力情報受付部１１と、部位情報記憶部１２と、第１パッケージ情報記憶部１３と、判断部１８と、規定データ記憶部１９と、第１情報作成部２０と、出力部２１と、撤去部位受付部２２と、単価情報記憶部２３と、改修部位コスト選出部２４とを備えているので、既存建物の設計、仕様の情報が完全に存在していなくても、あるいは既存建物を実際に調査して上記情報を集めなくても、予め用意しておいたパッケージ情報を利用して、既存建物の部位別の仕様・数量を極めて正確に予測できる。加えて、改修対象の部位につきその部分の改修コストを見積もることができる。
【００７６】
また、本実施の形態は、さらに、撤去・仮設コスト受付部２５と、改修総コスト算出部２６とを備えているので、仮設、改修部分の撤去等のコストを合わせた改修に要する総額を見積もることができる。
【００７７】
また、本実施の形態は、さらに、第２情報作成部２７を備えているので、既存建物の改修総コストと新築コストとを比較検討することができる。
【００７８】
以上、本発明の好適な実施の形態について説明してきたが、本発明は、上記の形態に限定されず、種々変更を施して実施可能である。
【００７９】
例えば、建物改修情報提供装置１は、ネットワーク４０を介さずに、直接、情報を入力するスタンド・アローン型の装置であっても良い。
【００８０】
また、判断部１８、第１情報作成部２０、出力部２１、改修部位コスト選出部２４、改修総コスト算出部２６、第２情報作成部２７は、その機能の一部のみを実行する構成部であっても良く、あるいは上記各構成部の１あるいは２以上を統合し、その統合した構成部の機能を全て行うようにしても良い。また、入力情報受付部１１、撤去部位受付部２２および撤去・仮設コスト受付部２５を１若しくは２つの構成部に統合し、あるいは４以上の構成部に分けて、これら受付部１１，２２，２５の機能を実行させても良い。さらに、部位情報記憶部１２、第１パッケージ情報記憶部１３、規定データ記憶部１９および単価情報記憶部２３を１〜３つの構成部に統合し、あるいは５以上の構成部に分けて、これら記憶部１２，１３，１９，２３の機能を実行させても良い。
【００８１】
＜第二の実施の形態＞
次に、本発明の第２の実施の形態について説明する。
１．建物改修情報提供装置の全体構成
図１０は、本発明の第２の実施の形態に係る建物改修情報提供装置１においてプログラムが実行される場合に実現される機能ブロックを示す図である。図１０を参照して、建物改修情報提供装置１において、ソフトウェアとしてのコンピュータ・プログラムが実行された場合に、当該コンピュータ・プログラムと、ハードウェアとしてのＣＰＵその他が協働することにより実現される機能の一例について説明する。
【００８２】
この実施の形態において、建物改修情報提供装置１は、通信回線網を介して外部のコンピュータと通信可能なコンピュータである。ただし、建物改修情報提供装置１を、スタンド・アローン型のコンピュータとしても良い。
【００８３】
第二の実施の形態に係る建物改修情報提供装置１は、既に説明した第一の実施の形態に係る建物改修情報提供装置１と一部重複する構成部を備える。以下、重複する構成部についてはその説明を省略し、第一の実施の形態には存在しない構成部について、主に説明する。
【００８４】
第二の実施の形態に係る建物改修情報提供装置１は、第一の実施の形態の各構成部に加えて、第２パッケージ情報記憶部５１３と、現状建物データ記憶部５２０と、改修種類受付部５２１と、フォルダ選出部５２２と、改修部位変更指示受付部５２３とを備える。
【００８５】
第２パッケージ情報記憶部５１３は、少なくとも建物の仕様、部位の種類およびその数量、構成材料の種類およびその数量、ならびに設備の種類およびその数量を含む情報を、建物の全体若しくは一部あるいは設備の改修の種類に対応して組み合わせた第２パッケージ情報を、改修の種類に対応するように複数のフォルダ５１４〜５１９に分類して記憶する第２パッケージ情報記憶手段である。この実施の形態では、改修の種類を６つに分類している。このため、第２パッケージ情報を分類して記憶しておくフォルダの数も６つにしている。ただし、改修の種類とフォルダの数は、６つに限定されず、１〜５、あるいは７以上にすることができ、さらに、改修の種類とフォルダの数を必ずしも一致させなくても良い。この実施の形態において、改修の種類を、「大規模改修」、「老朽箇所修繕」および「現状使用に必要な修繕」の３つに大別し、「大規模改修」を「環境配慮型機能ＵＰ」と「その他」に分け、「老朽箇所修繕」を「全面修繕」と「部分的修繕」に分け、「現状使用に必要な修繕」を「塗装のみ等」と「洗浄等」に分けている。設備については、別の改修の種類に応じた複数のフォルダが用意され、設備の第２パッケージ情報が格納されている。なお、建物の改修と設備の改修について、別々の第２パッケージ情報を用意せずに、建物と設備の両方の改修情報をセットとした第２パッケージ情報を用意しても良い。この実施の形態では、第２パッケージ情報記憶部５１３には、建物の改修の種類別に、フォルダ５１４〜５１９が格納され、設備の改修の種類別に、別の複数のフォルダ（不図示）が格納されている。各フォルダ５１４等には、多くの改修部位の組み合わせ情報が格納されている。
【００８６】
現状建物データ記憶部５２０は、第一の実施の形態にて述べた第１建物設計情報を少なくとも含む現状の建物に関する情報を記憶しておく現状建物データ記憶手段である。現状の建物に関する情報には、第１建物設計情報以外に、各部位、構成材料あるいは建物全体の各コストを含むようにすることもできる。
【００８７】
改修種類受付部５２１は、ユーザからの改修の種類を受け付ける改修種類受付手段であり、この実施の形態では、ユーザが入力した改修の種類が６種類の内のいずれであるかを受け付ける。
【００８８】
フォルダ選出部５２２は、改修の種類を受け付けると、現状建物データ記憶部５２０にアクセスして、現状の建物に関する情報の許容範囲内にて、第２パッケージ情報記憶部５１３から、第１建物設計情報に基づいて１または複数の第２パッケージ情報を選出するフォルダ選出手段である。「現状の建物に関する情報の許容範囲内にて」とは、現状の建物の全体の階数、延床面積、各階面積等の改修を行う際にどうしても制約を受ける範囲内において」という意味に解釈される。あるフォルダ（例えば、ここでは、「フォルダ５１４」とする）には、ある改修の種類に合致した改修部位のパッケージ情報が格納されており、そのパッケージの数は相当多い。しかし、そのパッケージ情報の中には、改修対象の現状の建物の構造からみて改修できないようなものも含まれている。フォルダ選出部５２２は、そのような改修のあり得ないものを排除して、改修可能な１または複数のパッケージ情報のみを選出する。例えば、改修種類受付部５２１が「大規模改修」であって「環境配慮型機能ＵＰ」という改修の種類（Ｎｏ．１とする）を受け付けると、フォルダ選出部５２２は、Ｎｏ．１という改修の種類を示す情報を受け取り、現状建物データ記憶部５２０にアクセスして、現状の建物に関する情報の許容範囲内にて、Ｎｏ.１の改修の種類に合致したフォルダ（例えば、フォルダ５１４）から、その指標に合致する改修部位・設備の組み合わせ（第２パッケージ情報）を１または複数個読み出す。
【００８９】
また、フォルダ選出部５２２は、ユーザの選択によって、改修コストの許容範囲を考慮して、当該許容範囲内になるように１または複数の第２パッケージ情報を選出することもできる。上記の例では、Ｎｏ．１という改修の指標に合致するような改修部位・設備の組み合わせは、多すぎる可能性がある。その場合、改修コストの範囲で、その範囲外になるような組み合わせを排除して、出力する組み合わせを減らすこともできる。
【００９０】
なお、第一の実施の形態に係る建物改修情報提供装置１にも存在する出力部２１は、第二の実施の形態では、フォルダ選出部５２２により選出された改修後の情報を出力する改修後情報出力手段を兼ねる。出力部２１は、フォルダ選出部５２２により選出された改修後の情報を出力する際に、改修前の情報の表示を利用して、改修後に変更になった情報をその表示内に上書きしたり、あるいは改修前の情報がわかるようにしつつ、改修後の情報を表示したり、表示形式の選択に応じて出力することができる。
【００９１】
改修部位変更指示受付部５２３は、改修後の情報の内の一部の変更指示を受け付ける改修部位変更指示受付手段である。改修後の情報を検討した後、さらに改修コストの変動、改修形態の変更等が生じることがある。その場合でもさらに改修を変更できるようにしている。一部の変更指示の手法としては、改修後の情報の表示から変更したい部分を書き換える方法、別表示にて変更したい内容を入力する方法など、如何様な方法をも採用できる。
【００９２】
なお、第一の実施の形態に係る建物改修情報提供装置１にも存在する改修部位コスト選出部２４は、改修部位変更指示受付部５２３が改修後の情報の内の一部の変更指示を受け付けると、単価情報記憶部２３にアクセスして、変更指示に対応するコストを選出することができる。また、改修部位コスト出力手段としての出力部２１は、上記変更指示の後の改修情報およびその変更指示の後のコストを出力することができる。その出力形式は、如何様な形式でも良く、例えば、変更指示後の改修情報とは別にコストを表示し、あるいは当該改修情報の内部にコストを表示することもできる。また、出力部２１は、第１建物設計情報を、改修前の現状の建物の情報として、改修後の情報およびそのコストと比較できるように表示することもできる。
【００９３】
図２は、建物改修情報提供装置１のハード構成を示す概略図である。
【００９４】
第二の実施の形態に係る建物改修情報提供装置１は、第一の実施の形態と同様、図２に示すようなＣＰＵ３０、ＲＯＭ３１、ＲＡＭ３２、ＨＤＤ３３、Ｉ／Ｆ３４およびバス３５を主に備える。ＣＰＵ３０は、ＨＤＤ３３に格納されているＯＳ３３ａおよびプログラム３３ｂに基づいて建物改修情報提供装置１の各部を制御するとともに、各種演算処理を実行する。ここでは、第二の実施の形態に特有の上記構成部に関して、そのハードウェアとの対応につき、図２に基づき説明する。第一の実施の形態と共通の構成部に関しては、第一の実施の形態にて説明した対応と同様であるため、その重複した説明を省略する。
【００９５】
改修種類受付部５２１、改修部位変更指示受付部５２３、フォルダ選出部５２２および出力部２１の各機能は、主にプログラム３３ｂとＣＰＵ３０によって実現される。現状建物データ記憶部５２０および第２パッケージ情報記憶部５１３は、主にプログラム３３ｂ、プログラム３３ｂ格納領域以外のＨＤＤ３３の記憶領域、ＲＡＭ３２によって実現される。
【００９６】
２．既存物件仕様内訳書の表示例
図１１および図１２は、ともに、現状物件仕様内訳書の一部の例示であって、それぞれ、「外部仕上げ」および「各階別」の表示である。
【００９７】
現状物件仕様内訳書は、第一の実施の形態で説明した機能により出力されたものであり、逐一、建物の仕様や構成材料等をひろうのではなく、ユーザが入力した情報に基づいてすでにパッケージ化された多くの建物情報から選出された情報である。図１１に示す表示例は、その内の「外部仕上げ」の部分のみを例示したものであり、他に、内部仕上げ、設備等の多くの項目がある。図１１に示す表示例は、名称欄６０１、摘要欄６０２、数量欄６０３および単位欄６０４から主に構成される表６００の形式である。名称欄６０１には、屋根・屋上に属する項目が表示され、摘要欄６０２には、当該項目の構成材、寸法等が表示されている。
【００９８】
また、図１２に示す表示例は、２階部分の専有領域と共用領域の各仕様のみを例示したものであり、他に、１階、３階以上の階の仕様もある。図１２に示す表示例は、階数欄６１１、専有欄６１２、共用欄６１３、仕様欄６１４から主に構成される表６１０の形式である。仕様欄６１４には、専有および共用別に、「室名」、「室面積」、「室数」、「床」、「壁」、「天井」、「高」に関する情報がある。このように、第一の実施の形態で述べた機能によって、図１１および図１２に例示される仕様を含め、現状の建物の仕様を出力することができる。
【００９９】
３．現状建物データ記憶部内のデータ
図１３は、現状建物データ記憶部５２０内のファイルの一例を示す図である。
【０１００】
図１３に示すファイル７００は、外部仕上げに関する情報のみを示すものであり、外部仕上げ以外にも、内部仕上げ、設備等の多くの項目があるが、ここでは省略する。ファイル７００は、現状の建物に関する情報と、改修の種類（Ｎｏ．1〜６）およびそれに応じた改修の指標とを備えているが、改修の種類（Ｎｏ．1〜６）およびそれに応じた改修の指標については、必須ではない。ファイル７００は、大項目７０１、中項目７０２、仕様項目（現状）７０３、大規模改修７０４、老朽箇所修繕７０５、現状使用に必要な修繕７０６の各欄に大別される。さらに、仕様項目（現状）７０３は分類７０７と名称７０８の各欄に、大規模改修７０４は１（環境配慮型機能ＵＰ）７０９と２（その他）７１０の各欄に、老朽箇所修繕７０５は３（全面）７１１と４（部分的）７１２の各欄に、現状使用に必要な修繕７０６は５（塗装のみ等）７１３と６（洗浄等）７１４の各欄に、それぞれ分けられている。大項目７０１、中項目７０２、分類７０７の順に、外部仕上げがより細かく分類されている。名称７０８には、現状の小分類についてその部材が記載されている。
【０１０１】
１（環境配慮型機能ＵＰ）７０９、２（その他）７１０、３（全面）７１１、４（部分的）７１２、５（塗装のみ等）７１３、および６（洗浄等）７１４には、各改修に応じて、各細分類に必要な変更、クリーニング、塗装等の指標が記載されている。かかる指標が記載されていない部分については、その改修にとって交換、変更等が不要であるからである。
【０１０２】
フォルダ選出部５２２は、現状建物データ記憶部５２０内のファイル７００の大項目７０１、中項目７０２および仕様項目（現状）７０３を見て、現状の建物に関する情報の許容範囲内にて、変更すべき内容を組み合わせた第２パッケージ情報を第２パッケージ情報記憶部５１３から読み出す。例えば、ユーザが環境配慮型機能ＵＰの改修を選択した場合、フォルダ選出部５２２は、外部仕上げに関して、屋根屋上の平場について現状の「アスファルト防水」を「屋上緑化」に変更し、現状の「シート防水」を「屋上緑化・断熱」に変更し、現状の屋根の「瓦葺き」を「太陽電池瓦」に交換するように変更し、外壁のＲＣ面について現状の「金属製パネル」を「壁面緑化」に変更し、現状の「石」を「外断熱」に変更するような改修のパッケージ情報を読み出す。この際、フォルダ選出部５２２は、現状の建物に関する情報と改修後の情報とを比較して、すでに現状において改修後の情報になっている部分を除いて、変更すべき内容を組み合わせたパッケージ情報を読み出しても良い。改修の種類は、後述するように、階毎、部屋毎の他、建物全体について指定することができる。例えば、一階を環境配慮型機能ＵＰに改修し、二階を全面的な老朽箇所修繕に改修するといったこともできる。また、一階、二階および三階を環境配慮型機能ＵＰに改修し、その他の階は改修しないという指定も可能である。なお、建物全体のみを指定可能とし、あるいは部屋毎のみ、階毎のみを指定可能とすることもできる。
【０１０３】
４．入力画面例・出力画面例
図１４および図１５は、それぞれ、建築上の主たる改修内容の選択入力画面７５０および設備上の主たる改修内容の選択入力画面７６０である。
【０１０４】
建築上の主たる改修内容の選択入力画面７５０（以後、選択入力画面７５０）には、各改修の種類別に、チェック欄７５１〜７５６が設けられている。ユーザは、選択入力画面７５０上のチェック欄７５１〜７５６のいずれかにチェックすることによって、改修の種類を指示することができる。選択入力画面７５０には、チェック欄７５１〜７５６以外に、他の改修の種類のチェック欄を設けることもできる。例えば、改修の種類を２種類増やして、エコロジー仕様への改修を指示するためのチェック欄およびＯＡ化を推進する仕様への改修を指示するためのチェック欄を設けることができる。
【０１０５】
また、設備上の主たる改修内容の選択入力画面７６０（以後、選択入力画面７６０）には、８種類の改修の種類別に、チェック欄７６１〜７６８が設けられている。建築上の改修の種類と設備上の改修の種類をともに６種類とすることもできるが、図１５に示すように、建築上の改修の種類を６種類とし、設備上の改修の種類を８種類とするというように、建築上の改修の種類と設備上の改修の種類とを別にすることもできる。その場合、設備について、現状建物データ記憶部５２０内のファイル７００と同様のファイルを別個に設けることになる。すなわち、設備を大項目、さらには小項目に分けて、当該小項目の現状の仕様に対して合計８種類の改修の種類の指標を予め決めておくファイルを必要とする。
【０１０６】
図１６および図１７は、それぞれ、建築上の改修対象の選択入力画面７７０および設備上の改修対象の選択入力画面７８０である。
【０１０７】
図１６に示すように、建築上の改修対象の選択入力画面７７０（以後、選択入力画面７７０）は、専有部において、全館改修を選択するチェック欄７７１、階別の改修を選択するチェック欄７７２、全部屋の改修を選択するチェック欄７７３、部屋別の改修を選択するチェック欄７７４を、共有部において、全館改修を選択するチェック欄７７５、階別の改修を選択するチェック欄７７６、全部屋の改修を選択するチェック欄７７７、部屋別の改修を選択するチェック欄７７８を、それぞれ有している。これらのチェック欄７７１〜７７８は一例であって、建築上の改修対象は、かかる種類に限定されるものではない。例えば、部位の大項目の一つである外部仕上げという単位でチェック欄を設けたり、さらにはそれより下位の項目である外壁、サッシ、床等の単位でチェック欄を設けることもできる。これによって、例えば、外壁については改修の種類Ｎｏ．１に合致した改修を行い、サッシについては改修の種類Ｎｏ．２に合致した改修を行うようにすることができるようになる。また、図１７に示すように、設備上の改修対象の選択入力画面７８０（以後、選択入力画面７８０）は、電気設備、空調設備、給排水衛生設備、昇降機設備等の各設備別に、改修の実施を選択するためのチェック欄７８１を有している。これらのチェック欄７８１についても、建築上の改修対象と同様に、電気設備、空調設備、給排水衛生設備あるいは昇降機設備のさらに下位概念の設備についてチェック欄を設けることもできる。
【０１０８】
例えば、ユーザが、選択入力画面７５０のチェック欄７５２、選択入力画面７６０のチェック欄７６８、選択入力画面７７０のチェック欄７７５，７７７、および選択入力画面７８０のチェック欄７８１の全てにチェックを入れるとする。この場合、建築上の改修は、共用部の全階の全部屋につき省エネルギー改修を行うものであり、設備上の改修は、全設備につき洗浄・補修塗装を行うものである。かかる改修の種類に関する情報は、改修種類受付部５２１に受け付けられる。その後、フォルダ選出部５２２は、現状建物データ記憶部５２０内の現状の建物の情報の許容範囲内において、現状の建物の共用部の全階の全部屋を省エネルギー改修するための処置、変更等を行うと共に、全設備の洗浄・補修塗装をするための処置等を行う１または複数の改修情報のパッケージを、第２パッケージ情報記憶部５１３内のフォルダから読み出す。出力部２１は、その読み出された改修情報のパッケージを、例えば、現状の建物仕様情報に上書きするようにして出力する。
【０１０９】
また、例えば、ユーザが、建築上の改修として、ＯＡ化を推進する仕様への改修（選択入力画面７５０の説明において追加可能な改修の種類として挙げたもの）を選択し、選択入力画面７６０，７８０にあるいずれのチェック欄をも選択せず、選択入力画面７７０の専有部のチェック欄７７２の２階にのみを選択し、チェック欄７７４の検査室、応接室および分析室を選択するものとする。この場合、建築上の改修は、専有部の２階の全部屋（検査室、応接室および分析室）につき、ＯＡ化を推進する仕様への改修を行うものであり、設備上の改修は行わない。かかる改修の種類に関する情報は、改修種類受付部５２１に受け付けられる。その後、フォルダ選出部５２２は、現状建物データ記憶部５２０内の現状の建物の情報の許容範囲内において、現状の建物の専有部の２階の全部屋のＯＡ化を推進する仕様へ改修するための処置、変更等を行う１または複数の改修情報のパッケージを、第２パッケージ情報記憶部５１３内のフォルダから読み出す。出力部２１は、その改修情報のパッケージを、例えば、現状の建物仕様情報に上書きするようにして出力する。改修情報のパッケージが例えば４種類存在する場合には、４種類を同時表示あるいは選択指示によって個別表示させることもできる。
【０１１０】
図１８は、ユーザが、建築上の改修として、ＯＡ化を推進する仕様への改修を選択し、選択入力画面７６０，７８０にあるいずれのチェック欄をも選択せず、選択入力画面７７０の専有部のチェック欄７７２の２階にのみを選択し、チェック欄７７４の検査室、応接室および分析室を選択したときの改修後の仕様内訳書の一例を示す図である。
【０１１１】
図１８に示す表示例は、階数欄８０１、専有欄８０２、共用欄８０３、仕様欄８０４から主に構成される表８００の形式である。仕様欄８０４には、専有および共用別に、「室名」、「室面積」、「室数」、「床」、「壁」、「天井」、「高」に関する情報がある。図１２に示す表６１０と比較すると、専有欄８０２の太線で囲った部分８１０、すなわち、床、壁、天井の仕様が改修によって変更になっている。
【０１１２】
また、図１９に示す表示例は、図１８の表８００において、分析室を無くして、１つの検査室を２つの事務室に変更し、各部屋の広さも変更したときの仕様内訳書の一例を示す図である。
【０１１３】
図１８に示す表８００内の分析室を削除し、検査室を事務室に変更し、各部屋数および各部屋の広さをマニュアルにて入力し、決定すると、図１９に示す太線で囲った部分８２０のように変更され、また、その変更により改修コストも連動して変更になり、表８００内のコスト８１１（図１８に表示）の額が自動的に別の額８２１（図１９に表示）に変わる。この機構については、すでに第一の実施の形態において説明したので、ここでは説明を省略する。
【０１１４】
５．実施の形態の作用
第２の実施の形態に係る建物改修情報提供装置１あるいはコンピュータ・プログラムで実現されるコンピュータ（以後、両者を、単に、建物改修情報提供装置１とする）は、第２パッケージ情報記憶部５１３と、少なくとも第１建物設計情報を含む現状の建物に関する情報を記憶しておく現状建物データ記憶部５２０と、改修の種類を受け付ける改修種類受付部５２１と、フォルダ選出部５２２と、出力部２１とを備えているため、改修すべき部分を逐一入力しなくても、どのような改修をしたいかを示す改修の種類を入力するだけで、その改修の種類に合致するように自動的に改修後の建物（設備も含まれる場合がある）の仕様を出力することができる。
【０１１５】
特に、第２の実施の形態に係る建物改修情報提供装置１は、フォルダ選出部５２２が改修コストの許容範囲を考慮して、当該許容範囲内になるように１または複数の第２パッケージ情報を選出することができる。このため、改修コストの範囲内で改修シミュレーションを行うことができる。
【０１１６】
また、第２の実施の形態に係る建物改修情報提供装置１は、改修後の情報の内の一部の変更指示を受け付ける改修部位変更指示受付部５２３を備え、その改修部位変更指示受付部５２３が改修後の情報の内の一部の変更指示を受け付けると、改修部位コスト選出部２４が単価情報記憶部２３にアクセスして、上記変更指示に対応するコストを選出し、出力部２１が上記変更指示の後の改修情報およびその変更指示の後のコストを出力することができる。このため、現状の建物の改修をシミュレーションした後、細かい変更を指示することによって、ユーザ希望の改修案により近づけることができる。
【０１１７】
また、第２の実施の形態に係る建物改修情報提供装置１は、出力部２１が第１建物設計情報を、改修前の現状の建物の情報として、改修後の情報およびそのコストと比較できるように表示することができる。このため、改修前後の仕様・コストを比較するのが容易になる。
【産業上の利用可能性】
【０１１８】
本発明は、例えば、オフィス、学校、病院、マンション等の建物を改修しようとする場合に利用することができる。
【符号の説明】
【０１１９】
１      建物改修情報提供装置
１１    入力情報受付部（入力情報受付手段）
１２    部位情報記憶部（部位情報記憶手段）
１３    第１パッケージ情報記憶部（第１パッケージ情報記憶手段）
１８    判断部（判断手段）
１９    規定データ記憶部（規定データ記憶手段）
２０    第１情報作成部（第１情報作成手段）
２１    出力部（第１建物設計情報出力手段、第２建物設計情報出力手段、改修部位コスト出力手段、改修後情報出力手段）
２２    撤去部位受付部（撤去部位受付手段）
２３    単価情報記憶部（単価情報記憶手段）
２４    改修部位コスト選出部（改修部位コスト選出手段）
２５    撤去・仮設コスト受付部（撤去・仮設コスト受付手段）
２６    改修総コスト算出部（改修総コスト算出手段）
２７    第２情報作成部（第２情報作成手段）
５１３  第２パッケージ情報記憶部（第２パッケージ情報記憶手段）
５２０  現状建物データ記憶部（現状建物データ記憶手段）
５２１  改修種類受付部（改修種類受付手段）
５２２  フォルダ選出部（フォルダ選出手段）
５２３  改修部位変更指示受付部（改修部位変更指示受付手段）
【図１】
2010097586.tif 000003
【図２】
2010097586.tif 000004
【図３】
2010097586.tif 000005
【図４】
2010097586.tif 000006
【図５】
2010097586.tif 000007
【図６】
2010097586.tif 000008
【図７】
2010097586.tif 000009
【図８】
2010097586.tif 000010
【図９】
2010097586.tif 000011
【図１０】
2010097586.tif 000012
【図１１】
2010097586.tif 000013
【図１２】
2010097586.tif 000014
【図１３】
2010097586.tif 000015
【図１４】
2010097586.tif 000016
【図１５】
2010097586.tif 000017
【図１６】
2010097586.tif 000018
【図１７】
2010097586.tif 000019
【図１８】
2010097586.tif 000020
【図１９】
2010097586.tif 000021